(57)【要約】【課題】  可動ラックの車載位置での傾斜角度を小さくして自転車を載せやすく、かつ降ろしやすくしたヒンジ式駐輪装置を提供する。【解決手段】  設置面２に立設される支柱３と、自転車５を載せるために断面形状が溝状に形成され、支柱３の上部に一端側が揺動自在に連結される可動ラック６と、自転車５を載せた可動ラック６を持ち上げる際の持ち上げ力を補助すると共に可動ラック６を固定するために、可動ラック６と支柱３の間に配設されるロック機能付き付勢手段７と、ロック機能付き付勢手段７を操作するために、可動ラック６の他端側に設けられる操作手段８と、を備え、操作手段８を操作することによって、可動ラック６を、自転車５を載せるための車載位置９から自転車５を上段スペースに収納するための収納位置１０までの任意位置で固定できるようにした。【選択図】図１
2010281039.tif 000002
【特許請求の範囲】
【請求項１】
自転車を上下二段に収納する二段式駐輪場の上段スペースに自転車を収納するためのヒンジ式駐輪装置であって、
設置面に立設される支柱と、
自転車を載せるために断面形状が溝状に形成され、支柱の上部に一端側が揺動自在に連結される可動ラックと、
自転車を載せた可動ラックを持ち上げる際の持ち上げ力を補助すると共に可動ラックを固定するために、可動ラックと支柱の間に配設されるロック機能付き付勢手段と、
ロック機能付き付勢手段を操作するために、可動ラックの他端側に設けられる操作手段と、を備え、
操作手段を操作することによって、可動ラックを、自転車を載せるための車載位置から自転車を上段スペースに収納するための収納位置までの任意位置で固定できるようにしたことを特徴とするヒンジ式駐輪装置。
【請求項２】
前記可動ラックの一端側が、ヒンジを介して、支柱の上部に回動自在に枢結されることを特徴とする請求項1に記載のヒンジ式駐輪装置。
【請求項３】
前記ロック機能付き付勢手段は、油圧併用式のガススプリングであり、そのピストンロッドの縮長限度で可動ラックが車載位置に、伸長限度で可動ラックが収納位置に、それぞれ設置されることを特徴とする請求項1又は２に記載のヒンジ式駐輪装置。
【請求項４】
前記ガススプリングは、油圧力を制御するための摺動自在なプッシュロッドをピストンロッド内に具え、そのプッシュロッドが、連接ロッドを介して、操作手段に連係されることを特徴とする請求項３に記載のヒンジ式駐輪装置。
【請求項５】
前記ガススプリングの支柱に対する傾斜角度は、可動ラックが車載位置から収納位置に至る間、２０°〜３０°に維持されることを特徴とする請求項３又は４に記載のヒンジ式駐輪装置。
【請求項６】
前記可動ラックの車載位置での設置面に対する傾斜角度が、４０°〜４３°に設定されることを特徴とする請求項1乃至５の何れか１項に記載のヒンジ式駐輪装置。
【発明の詳細な説明】
【技術分野】
【０００１】
本発明は、自転車を上下二段に収納する二段式駐輪場の上段スペースに自転車を収納するためのヒンジ式駐輪装置に関する。
【背景技術】
【０００２】
自転車を上下二段に収納する二段式駐輪装置として、例えば、設置面に立設された固定柱に水平方向に固定フレームを支持させ、その固定フレームに沿って前後方向に進退自在な可動ラックを設け、その可動ラックを後端位置まで引き出して、その後端を下方に回動させて傾斜した状態として、その可動ラックに自転車を載せた後、その可動ラックを水平な状態まで持ち上げて固定フレームの先端まで押し込むことによって自転車を上部スペースに収納するように構成されたものが提案されている（例えば、特許文献１，２参照）。
【先行技術文献】
【特許文献】
【０００３】
【特許文献１】特開２００３−７２６１２号公報
【特許文献２】特開２００６−２７３０８４号公報
【発明の概要】
【発明が解決しようとする課題】
【０００４】
しかし、従来の二段式駐輪装置では、自転車を載せた可動ラックを上段スペースに支持するために、固定柱に大きな固定フレームを架設しているので、部品点数が多く構成が複雑で装置全体が嵩高くなっていた。しかも、自転車を載せた可動ラックを傾斜した状態からほぼ水平な状態にまで持ち上げて、さらにその可動ラックを固定フレームの先端まで押し込む作業が大変面倒であった。つまり、自転車を載せて傾斜した可動ラックをほぼ水平な状態にまで持ち上げる作業と、その可動ラックを固定フレームに押し込む作業の２ステップの作業が必要であった。また、自転車を降ろす際には、可動ラックを固定フレームから後方に引き出すので、装置の外部に余分なスペースを必要としていた。
【０００５】
また、例えば特許文献１の図２に示すように、可動ラックは、下部スペースに収納されている自転車との干渉を避けるために、引き出した状態での傾斜角度（５０°以上）が大にならざるを得なかった。そのため、自転車を大きく傾斜した可動ラックの先端位置まで押し上げるために大変な労力を必要としていた。また、自転車を可動ラックから降ろす際にも、急傾斜した可動ラックから自転車を安全に降ろすのが容易ではなかった。特に、婦女子等では、このような作業は危険を伴うことも懸念される。また、電動アシスト自転車等では、自転車の重量が増加しているため、婦女子に限らず、このような作業が困難になっていた。さらに、周囲の状況判断等により安全性を確保するために、可動ラックを操作する過程で必要に応じて可動ラックを任意の位置で固定できることが望ましいが、従来の装置では、このような配慮がなされていなかった。
【０００６】
本発明は、このような事情に鑑みてなされ、上段スペースに自転車を収納するための可動ラックの車載位置での傾斜角度を小さくして自転車を載せやすくすると共に、可動ラックを収納位置に作業性よく持ち上げることができ、かつ任意の位置で可動ラックを固定でき、しかも可動ラックを操作する際に装置の外部に余分なスペースを必要としない、構成が簡易で安全性の高いヒンジ式駐輪装置を提供することを目的とする。
【課題を解決するための手段】
【０００７】
本発明は、上述の課題を解決するための手段を以下のように構成している。即ち、自転車を上下二段に収納する二段式駐輪場の上段スペースに自転車を収納するためのヒンジ式駐輪装置であって、
設置面に立設される支柱と、自転車を載せるために断面形状が溝状に形成され、支柱の上部に一端側が揺動自在に連結される可動ラックと、自転車を載せた可動ラックを持ち上げる際の持ち上げ力を補助すると共に可動ラックを固定するために、可動ラックと支柱の間に配設されるロック機能付き付勢手段と、ロック機能付き付勢手段を操作するために、可動ラックの他端側に設けられる操作手段と、を備え、
操作手段を操作することによって、可動ラックを、自転車を載せるための車載位置から自転車を上段スペースに収納するための収納位置までの任意位置で固定できるようにしたことを特徴とする。
【０００８】
前記可動ラックの一端側が、ヒンジを介して、支柱の上部に回動自在に枢結されるようにしてもよい。
【０００９】
前記ロック機能付き付勢手段は、油圧併用式のガススプリングであり、そのピストンロッドの縮長限度で可動ラックが車載位置に、伸長限度で可動ラックが収納位置に、それぞれ設置されるようにしてもよい。
【００１０】
前記ガススプリングは、油圧力を制御するための摺動自在なプッシュロッドをピストンロッド内に具え、そのプッシュロッドが、連接ロッドを介して、操作手段に連係されるようにしてもよい。
【００１１】
前記ガススプリングの支柱に対する傾斜角度は、可動ラックが車載位置から収納位置に至る間、２０°〜３０°に維持されるようにしてもよい。
【００１２】
前記可動ラックの車載位置での設置面に対する傾斜角度が、４０°〜４３°に設定されるようにしてもよい。
【発明の効果】
【００１３】
本発明のヒンジ式駐輪装置は、支柱に揺動自在に連結された可動ラックの持ち上げ力を補助すると共に可動ラックを固定するためのロック機能付き付勢手段を、可動ラックと支柱の間に配設し、そのロック機能付き付勢手段を操作するための操作手段を可動ラックの他端側に設けているので、その操作手段を操作することによって、可動ラックを、自転車を載せる車載位置から自転車を上段スペースに収納する収納位置までの間の任意位置で固定することができる。
【００１４】
このようなヒンジ式駐輪装置では、自転車を載せた可動ラックをロック機能付き付勢手段で収納位置にロックするので、嵩高い固定フレームが不要になり部品点数が少なくなり構成が簡易になる。また、可動ラックの一端側を支柱に揺動自在に連結しているため、自転車を可動ラックに載せる際の可動ラックの傾斜角度が従来よりも小さくなり、自転車を可動ラックに載せる作業が容易になる。また、自転車を可動ラックから降ろす作業も容易になる。その際に、可動ラックは支柱に連結されているため後方への移動がなく、可動ラックの操作に際して、装置の外部に余分なスペースを必要とせず、省スペースを実現することができる。
【００１５】
そして、自転車を可動ラックに載せた後は、ワンタッチ操作（１ステップ動作）で可動ラックを収納位置まで押し上げることができ、その際に、ロック機能付き付勢手段によって可動ラックの持ち上げ力が補助されるので、電動アシスト自転車等を載せた場合にも大きな力は必要なく、婦女子等でも容易に可動ラックを押し上げることができる。また、可動ラックを降ろす際には緩く降ろすことができる。しかも、操作手段を操作することによって、可動ラックを押し上げる際又は降ろす際に、周囲の状況判断等により、任意位置で可動ラックを固定できるので、安全性が向上する。
【００１６】
このようなヒンジ式駐輪装置にあって、可動ラックの一端側を、ヒンジを介して、支柱の上部に回動自在に枢結すれば、支柱に対する可動ラックの連結構造を簡素に構成することができる。また、ロック機能付き付勢手段として油圧併用式のガススプリングを採用し、そのピストンロッドの縮長限度で可動ラックが車載位置に、伸長限度で可動ラックが収納位置に、それぞれ設置されるようにすれば、可動ラックの支持構造を簡素に構成することができる。そして、ガススプリングが、油圧力を制御するための摺動自在なプッシュロッドをピストンロッド内に具え、そのプッシュロッドを、連接ロッドを介して、操作手段に連係させるようにすれば、可動ラックを任意位置で固定するための操作が容易となり、その操作の精度が向上する。さらに、ガススプリングの支柱に対する傾斜角度が、可動ラックが車載位置から収納位置に至る間、２０°〜３０°に維持されるようにすれば、可動ラックに対して付勢力を無駄なく効果的に作用させることができる。また、可動ラックの車載位置での設置面に対する傾斜角度を、４０°〜４３°に設定すれば、自転車を可動ラックに載せる作業が容易になる。また、自転車を可動ラックから降ろす作業も容易になる。
【図面の簡単な説明】
【００１７】
【図１】本発明の一実施の形態に係るヒンジ式駐輪装置の側面図で、可動ラックが車載位置にある状態を示す。
【図２】同ヒンジ式駐輪装置の側面図で可動ラックが収納載位置にある状態を示す。
【図３】同ヒンジ式駐輪装置を二段式駐輪場に設けた側面図である。
【図４】同二段式駐輪場の正面図で、（ａ）は下段スペースに収納されている自転車が可動ラックと干渉する位置にある状態、（ｂ）は下段スペースの自転車を退避位置に横移動させた状態を示す。
【発明を実施するための形態】
【００１８】
以下に、本発明のヒンジ式駐輪装置の実施の形態について図面を参照しつつ詳細に説明する。
図１及び図２に示すように、このヒンジ式駐輪装置１は、設置面２に立設される支柱３の上部に、ヒンジ４を介して、自転車５を載せるための可動ラック６の一端側を揺動自在に連結し、その可動ラック６と支柱３の間に、ロック機能付き付勢手段としての油圧併用式のガススプリング７（例えばＫＹＢ（株）製のフリーピストン等）を配設している。そして、そのガススプリング７を操作するための操作手段８を、可動ラック６の他端側に設け、その操作手段８を操作することによって、可動ラック６を、自転車５を載せる車載位置９から自転車５を上段スペースに収納する収納位置１０までの任意位置で固定できるようにしている。
【００１９】
可動ラック６は、断面形状が溝状に形成され、図１に示す車載位置９にて、他端側が設置面２に対して略平行になるように折曲され、その折曲部分６ａで自転車５の後輪を受け止めるようにしている。また、可動ラック６の一端側には、前輪を挿入することによって自転車５を起立状態に保持するためのパイプ材からなる一対の前輪保持部材６ｂが立設されている。この可動ラック６の前端下部と、支柱３の上端側部が、ヒンジ４によって揺動自在に連結されている。その可動ラック６における前輪保持部材６ｂの直下の位置に、ガススプリング７のピストンロッド７ａの先端が枢結され、そのシリンダ７ｂの基部が支柱３の中間高さ部位に枢結されている。
【００２０】
図１に示す車載位置９にて、可動ラック６の設置面２に対する傾斜角度αは４０°〜４３°に設定され、従来よりも傾斜角度が緩くなっている。また、折曲部分６ａの設置面２に対する高さｄは１００ｍｍ程度に設定される。このような設定により、自転車５を可動ラック６に載せる作業が容易になる。また、自転車５を可動ラック６から降ろす作業も容易になる。そして、本実施の形態では、ガススプリング７のピストンロッド７ａの縮長限度で可動ラック６が図１の車載位置９に、伸長限度で可動ラック６が図２の収納位置１０に、それぞれ設置されるように構成し、車載位置９でのガススプリング７の支柱３に対する傾斜角度β（図１参照）は、可動ラック６が車載位置９から収納位置１０に至る間、２０°〜３０°に維持される。このような設定により、ガススプリング７の付勢力を可動ラック６に対して効果的に作用させることができる。尚、ガススプリング７の傾斜角度βが２０°より小さいと、可動ラック６の支持状態が不安定になりやすい。また、ガススプリング７の傾斜角度βが３０°より大きくなると、可動ラック６に作用するガススプリング６の付勢力の垂直上向の分力が低下する。
【００２１】
ガススプリング７は、油圧力を制御するための摺動自在なプッシュロッドをピストンロッド７ａ内に具え、そのプッシュロッドの端部を、鋼線材からなる連接ロッド１１を介して、可動ラック６の他端側（後端）に設けた操作手段８に連係させている。詳しくは、図２の拡大図に示すように、連接ロッド１１の一端側は、ピストンロッド７ａの先端から突出したプッシュロッドの端部を押し込むためにピストンロッド７ａの先端に回動自在に支持された略Ｌ字状の操作片に接続される一方、連接ロッド１１の他端側を、可動ラック６の後端の握り棒１２の手前に設けた操作バー（操作手段）８に接続しており、その操作バー８を矢印１３の方向に引くと、プッシュロッドの端部がピストンロッド７ａ内に押し込まれてガススプリング７が作用し、操作バー８を放して矢印１３と反対方向に戻すと油圧力が作用してピストンロッド７ａが固定されるようにしている。このような鋼線材からなる連接ロッド１１によってガススプリング７を制御する構成では、プッシュプルケーブルを用いた場合よりもガススプリング７をより確実に精度よく制御することができる。
【００２２】
以上のように構成されるヒンジ式駐輪装置１は、図３に示すような二段式駐輪装置に組み込まれて使用される。可動ラック６の下側に平行に配設される下部移動ラック１５は、その長手方向に直交する方向に設置面２上に配設されるレール１６に跨乗して摺動自在なスライダー（符号省略)の上に載設されている。従って、可動ラック６に自転車を載せる際及び可動ラック６から自転車を降ろす際に、例えば図４（ａ）に示すように、下部移動ラック１５に載せた自転車が、可動ラック６と干渉する位置にある場合は、図４（ｂ）に示すように、下部移動ラック１５を自転車と共に、可動ラック６と干渉しない位置に移動させた状態として、可動ラック６を操作すればよい。尚、ガススプリング７の傾斜角度βを２０°〜３０°に設定しているので、図３に示すように、自転車５を上部スペースの収納位置１０に収納した状態では、下部移動ラック１５に載せた自転車は可動ラック６と干渉しないため、自転車収納後には、可動ラック６の直下の位置に下部移動ラック１５を移動すればよい。
【００２３】
前述したように、本実施の形態に係るヒンジ式駐輪装置１では、自転車５を載せた可動ラック６をロック機能付きのガススプリング７で収納位置１０にロックするので、嵩高い固定フレームが不要になり部品点数が少なくなり構成が簡易なものとなる。また、可動ラック６の一端側を支柱３に揺動自在に連結しているため、自転車５を可動ラック６に載せる際の可動ラックの傾斜角度α（＝４０°〜４３°）が従来よりも小さくなり、自転車５を可動ラック６に載せる作業が容易になる。また、自転車５を可動ラック６から降ろす作業も容易になる。その際に、可動ラック６は後方への移動がないため、装置の外部に余分なスペースを必要とせず省スペースを実現することができ、狭い駐輪場にも設置できる利点がある。
【００２４】
そして、自転車５を可動ラック６に載せた後は、ワンタッチ操作（１ステップ動作）で可動ラック６を収納位置１０までスムーズに押し上げることができ、その際に、ロック機能付きガススプリング７によって可動ラック６の持ち上げ力が補助されるので、電動アシスト自転車等を載せた場合にも大きな力は必要なく、婦女子等でも容易に可動ラック６を押し上げることができる。また、可動ラック６を降ろす際には緩く降ろすことができる。しかも、操作バー８を操作することによって、可動ラック６を押し上げる際又は降ろす際に、周囲の状況判断等により、任意位置で可動ラック６を固定できるので、安全性が向上する。
【００２５】
尚、本発明のヒンジ式駐輪装置１は、以上説明した実施の形態に限定されることなく、発明の要旨を逸脱しない限りにおいて、必要に応じて、適宜、改良、変更等は自由であり、可動ラック６の車載位置９での設置面２に対する傾斜角度は４０°〜４３°に限定されることなく、例えば３９°や４５°に設定されてもよい。要するに、可動ラック６の車載位置９での設置面３に対する傾斜角度は、従来の傾斜角度（５０°以上）よりも緩い適切な角度が選択されてよい。また、本実施の形態では、可動ラック６を支柱３に対してヒンジ４で連結したが、これに限定されることなく、可動ラック６と支柱３とを支軸を介したその他の連結方法で連結してもよい。例えば可動ラック６に固定した支軸を、ベアリングを介して支柱３に回動自在に支持させてもよい。要するに、可動ラック６の一端側は、支柱３の上部に揺動自在に連結されればよい。
【産業上の利用可能性】
【００２６】
本発明のヒンジ式駐輪装置は、可動ラックの車載位置での設置面に対する傾斜角度を小さく設定できるので、婦女子等でも自転車を載せやすく、かつ降ろしやすいため、安全性が求められる駐輪場等に好適に適用することができる。また、可動ラックを操作する際に装置の外部に余分なスペースを必要としないため、省スペースが求められる駐輪場に好適に適用することができる。
【符号の説明】
【００２７】
１  ヒンジ式駐輪装置
２  設置面
３  支柱
４  ヒンジ
５  自転車
６  可動ラック
６ａ  折曲部分
６ｂ  前輪保持部材
７  ロック機能付き付勢手段（ガススプリング）
７ａ  ピストンロッド
７ｂ  シリンダ
８  操作手段（操作バー）
９  車載位置
１０  収納位置
１１  連接ロッド
１２  握り棒
１３  矢印
１５  下部移動ラック
１６  レール
α，β  傾斜角度
【図１】
2010281039.tif 000003
【図２】
2010281039.tif 000004
【図３】
2010281039.tif 000005
【図４】
2010281039.tif 000006